(57)【要約】【課題】隙間用ノズル等の吸込具の着脱が、不衛生で使い勝手が悪いものであった。【解決手段】先端パイプ１４の先端近くに形成された回転軸（枢支部）１９と、回転軸１９により回動自在に枢支され先端パイプ１４と常に連通する吸込具１８と、先端パイプ１４の接続口２２の外周で且つ先端パイプ１４の外郭内側に位置する吸込具１８を回動させて、吸込具１８の一部が先端パイプ１４の端面から飛び出すように吸込具１８を附勢するフックバネ（附勢手段）２３とを備え、延長管１３を先端パイプ１４の接続口２２から取り外したときに、吸込具１８がフックバネ２３により回動し、その一部が先端パイプ１４の端面から飛び出す構成とした。これにより、吸込具１８の使用状態が延長管１３の取り外し動作と連動して行うことができ、吸込具１８に直接触れることもなく、衛生的で使用性に優れた電気掃除機を提供することができるものである。【選択図】図２
2006230871.tif 000002
【特許請求の範囲】
【請求項１】
掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された枢支部と、前記枢支部により回動自在に枢支され前記先端パイプの接続口の外周と接続口の前方との少なくとも二つの位置を取り得る吸込具と、前記吸込具の一部が前記先端パイプ端面から飛び出すように前記吸込具を回動自在に附勢する附勢手段とを備え、前記吸込具は、前記延長管の一端を前記先端パイプの接続口から取り外したときに、前記附勢手段により回動して前記吸込具の一部が前記先端パイプの接続口前方に飛び出す構成とした電気掃除機。
【請求項２】
吸込具が、附勢手段により回動して、その一部を先端パイプの接続口前方に飛び出させた状態で、延長管を前記先端パイプの接続口に接続するときに、前記延長管が前記吸込具に当接し、前記附勢手段に抗して前記吸込具を回動させ、前記先端パイプの接続口の外周に位置する構成とした請求項１記載の電気掃除機。
【請求項３】
先端パイプの接続口の外周部に、吸込具が収納されるための外郭を設けた請求項１または２に記載の電気掃除機。
【請求項４】
吸込具の吸込口先端部に、ブラシ、起毛布などの清掃用軟質材を配設したことを特徴とする請求項１〜３のいずれか１項に記載の電気掃除機。
【請求項５】
吸込具の吸込口先端部に配設した清掃用軟質材は、吸込具が先端パイプ内に収納された状態で、前記先端パイプの先端部より突出して配設したことを特徴とする請求項４記載の電気掃除機。
【請求項６】
吸込具の吸気口先端部に配設した清掃用軟質材は吸込具に回動力を与える附勢手段の弾性力と略同一以上の弾性力を有したことを特徴とする請求項４または５に記載の電気掃除機。
【請求項７】
回動する吸込具をユニット化し、前記ユニット化した吸込具を、先端パイプ、延長管の先端部にそれぞれ着脱可能としたことを特徴とする請求項１〜６のいずれか１項に記載の電気掃除機。
【発明の詳細な説明】
【技術分野】
【０００１】
本発明は、電気掃除機などの吸引装置に接続されて使用する吸込具およびをそれを用いた電気掃除機に関するものである。
【背景技術】
【０００２】
従来のこの種の吸込具は、電気掃除機の集塵室と連通したホースとホースの先端に設けた先端パイプとこの先端パイプに接続される延長管、床用吸込具などを有した電気掃除機に、ブラシノズルや隙間ノズルとして前記先端パイプや延長管の先端に着脱自在に取付けられるものであった。その構成としては先端パイプや延長管の先端部などに設けた取付け部に回動自在・摺動自在・着脱自在に接続可能な形態が一般的であった（例えば、特許文献１〜特許文献４参照）。
【特許文献１】特開２０００−０７０１８７号公報
【特許文献２】特開２０００−２７９３５２号公報
【特許文献３】特許第３２１３６０８号公報
【特許文献４】特許第３３４４１３６号公報
【発明の開示】
【発明が解決しようとする課題】
【０００３】
しかしながら、上記構成では、ブラシノズルや隙間ノズルなどの吸込具を先端パイプに装着する時には、まず、先端パイプから延長管を取り外した後、吸込具を握り収納場所から取り外し、または回動させて先端パイプに装着する必要があった。また、吸込具を先端パイプに対して正しい位置に装着しないと吸込具の吸込口が意図しない方向に向くため、使いにくいという欠点があり、位置決めのし易さが課題であった。さらには先端パイプから取り外す時には、上記とは逆に先端パイプから吸込具を握り吸込具を取り外してまたは回動させて収納場所に収納した後、先端パイプに延長管を装着する必要があり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題があった。また、吸込具の吸込口の角度が固定されていたり、吸込具の吸込口の角度が可動できる構成でも手で角度調整する必要があり、やはり、不衛生であるとともに使用性が悪いという課題がある。
【０００４】
他の従来の構成としても、吸込具を先端パイプなどの先端に回動あるいは摺動させて付け替え、収納ができるものがあり、先端パイプに対する吸込具の接続の位置決めは改善されてはいるが、やはり、吸込具と延長管の付け替えに汚れやすい吸込具を握らなくてはならず不衛生であるとともに、吸込具と延長管の着脱、吸込具の収納部からの着脱の３動作が必要であり、使用性が悪いという課題が残っている。また、延長管への吸込具の着脱においても同様に床用吸込具の着脱と吸込具の着脱が必要であった。
【０００５】
本発明は上記課題を解決するもので、吸込具と延長管などの付け替え時に吸込具に触れることなく、また、吸込具の収納が掃除作業の延長で行うことができる、衛生的で使用性に優れた吸込具を提供することを目的とするものである。
【課題を解決するための手段】
【０００６】
上記従来の課題を解決するために本発明は、掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された枢支部と、前記枢支部により回動自在に枢支され前記先端パイプの接続口の外周と接続口の前方との少なくとも二つの位置を取り得る吸込具と、前記吸込具の一部が前記先端パイプ端面から飛び出すように前記吸込具を回動自在に附勢する附勢手段とを備え、前記吸込具は、前記延長管の一端を前記先端パイプの接続口から取り外したときに、前記附勢手段により回動して前記吸込具の一部が前記先端パイプの接続口前方に飛び出す構成の電気掃除機とした。
【０００７】
これにより、先端パイプから延長管を取り外すと先端パイプの接続口の外周に位置していた吸込具が回動し、その一部が飛び出して、先端パイプの接続口前方に使用可能状態で形成されるため、直ぐに吸込具として塵埃の吸込みが行え、使い勝手が非常に良いものである。そして、吸込具の使用状態が延長管の取り外し動作と連動して行うことができるため、吸込具に触れることなく、衛生的で使用性に優れた電気掃除機を提供できるものである。
【発明の効果】
【０００８】
本発明は吸込具の使用状態、収納状態の選択が延長管の着脱動作だけで行え、着脱動作が少なく、また、吸込具に触れることがないため、衛生的で使用性に優れた電気掃除機を提供することができる。
【発明を実施するための最良の形態】
【０００９】
第１の発明は、掃除機本体と、一端が掃除機本体に接続され、他端に先端パイプを有するホースと、前記先端パイプの接続口に一端が着脱自在に接続される延長管と、前記延長管他端の接続部に着脱自在に接続される床用吸込具と、前記先端パイプの先端近くに形成された枢支部と、前記枢支部により回動自在に枢支され前記先端パイプの接続口の外周と接続口の前方との少なくとも二つの位置を取り得る吸込具と、前記吸込具の一部が前記先端パイプ端面から飛び出すように前記吸込具を回動自在に附勢する附勢手段とを備え、前記吸込具は、前記延長管の一端を前記先端パイプの接続口から取り外したときに、前記附勢手段により回動して前記吸込具の一部が前記先端パイプの接続口前方に飛び出す構成とした。これにより、先端パイプから延長管を取り外すと、先端パイプの接続口の外周に位置していた吸込具が回動し、その一部が飛び出して、先端パイプの接続口前方に使用可能状態で形成されるため、直ぐに吸込具として塵埃の吸込みが行え、使い勝手が非常に良いものである。つまり、吸込具の使用状態が延長管の取り外し動作と連動して行うことができ、吸込具に触れることなく、衛生的で使用性に優れた電気掃除機を提供することができる。
【００１０】
第２の発明は、第１の発明の吸込具が、附勢手段により回動して、その一部を先端パイプの接続口前方に飛び出させた状態で、延長管を前記先端パイプの接続口に接続するときに、前記延長管が前記吸込具に当接し、前記附勢手段に抗して前記吸込具を回動させ、前記先端パイプの接続口の外周に位置する構成とした。これにより、第１の発明の効果に加えて、延長管を先端パイプに挿入して先端パイプの接続口と接続するときに、延長管が吸込具に当接して附勢手段に抗しながら前記吸込具を回動させ、先端パイプの接続口の外周に、前記吸込具を位置させる。つまり、吸込具の収納状態が延長管の取り付け動作と連動して行うことができ、吸込具に触れることなく、衛生的で使用性に優れた電気掃除機を提供することができる。
【００１１】
第３の発明は、第１または第２の発明の先端パイプの接続口の外周部に、吸込具が収納されるための外郭を設けたもので、前記吸込具は、先端パイプの接続口の外周と前記先端パイプの外郭との間に、確実に収納することができる。
【００１２】
第４の発明は、第１〜第３のいずれか１つの発明の吸込具の吸込口先端部に、ブラシ、起毛布などの清掃用軟質材を配設したもので、吸込具による被掃除面への傷つきを防止するとともに被掃除面上の塵埃をブラシ、起毛布などの清掃用軟質材によって掻き出したり、拭いたりすることにより、更なる使用性の向上と集塵性能の向上が図れるものである。
【００１３】
第５の発明は、第４の発明の吸込具の吸込口先端部に配設した清掃用軟質材は、吸込具が先端パイプ内に収納された状態で、前記先端パイプの先端部より突出して配設したもので、吸込具を使用状態から床面側に押し付け過ぎた時などに、吸込具が先端パイプ内に押し込んでしまっても、被掃除面に直接連結管の先端部が当たるのを防止し、被掃除面への傷つきを防止するとともに先端パイプの先端部の損傷を防止できるものである。
【００１４】
第６の発明は、第４または第５の発明の吸込具の吸気口先端部に配設した軟質材は吸込具に回動力を与える附勢手段の弾性力と略同一以上の弾性力を有したもので、吸込具を使用状態で押さえ付けると附勢手段の弾性力より軟質材の弾性力の方が同等もしくは大きいため、吸込具が先端パイプ側に回動して移動し、床面の角度に関係なく吸込具の吸気口が床面に常に密着することとなり、吸込み性を損なうこと無く、掃除性能の向上と使用性の向上が図れるものである。
【００１５】
第７の発明は、第１〜第６のいずれか１つの発明の回動する吸込具をユニット化し、前記ユニット化した吸込具を、先端パイプ、延長管の先端部にそれぞれ着脱可能としたことを特徴とする電気掃除機であり、一つの吸込具ユニットを先端パイプと延長管の先端部に付け替えて使用することができ、掃除範囲が拡大し、さらなる使用性の向上が図れるものである。
【００１６】
以下、本発明の実施の形態について、図面を参照しながら説明する。なお、この実施の形態によりこの発明が限定されるものではない。
【００１７】
（実施の形態１）
本発明の第１の実施の形態について、図１〜図９を用いて説明する。
【００１８】
１は前側に塵埃を集積する集塵袋２を配置した集塵室３、後方に塵埃吸引用のモ−タ−４などを有する本体下であり、前部の集塵袋２上方を覆う蓋体５で集塵室３を形成するとともに後部モーター４などを配置した上方を本体上６で覆い、電気掃除機本体（以下、本体という）７を構成している。８は一端に本体７前部に構成した集塵室３に連通し、モーター４の吸引力による吸い込み通路を形成するフロントカバー９の吸気口１０に接続する接続パイプ１１を有するとともに他端に使用時に握って操作する把手１２を形成し、かつ、接続管としての延長管１３を接続する連結管としての先端パイプ１４を有するホースである。床面の塵埃を効率的に捕集する床用吸込具１５を延長管１３の先端に着脱自在に接続して用いる。１６は本体７を持ち運びする時に握る下げ手であり、１７は本体下１の前部底面に配設したキャスターローラー（図示せず）とともに使用時に本体７を移動させるローラーであり、本体下１の後部両側面に配設されている。
【００１９】
先端パイプ１４の先端には延長管１３を取り外した時に使用できる吸込具１８を構成している。前記吸込具１８は、下部略先端部に位置した回転軸（枢支部）１９によって一端にブラシ２０を植毛した吸込口としてのブラシホルダー２１を先端パイプ１４に対して回動自在に枢支し、前記ブラシホルダー２１は、先端パイプ１４の外郭上方の位置とブラシホルダー２１の他端を先端パイプ１４の接続口２２に連通させて連通部２１Ａを形成し、先端パイプ１４に対してブラシ２０が一定の角度αを有した位置との間を回動自在に構成している。
【００２０】
２３は、ブラシホルダー２１を先端パイプ１４の接続口２２に対して一定の角度αを有する方向に附勢するフックバネ（附勢手段）であり、先端パイプ１４の下部に設けた穴２４から回動により出没可能なストッパーＡ２５をブラシホルダー２１の下部略中央に形成し、前記穴２４の前壁２６に前記ストッパーＡ２５が当接することによってブラシホルダー２１の回動角度を規制している。この時、フックバネ２３の附勢力（弾性力）はブラシ２０の弾性力と同等もしくは小さく設定している。また、角度αを約６０°に設定しており、ブラシ２０と被掃除面の角度は約３０°となり、先端パイプ１４の把手１２と略平行になっている。
【００２１】
また、前記ストッパーＡ２５が先端パイプ１４の接続口２２に挿入される延長管１３の被接続口２７に当接することによってブラシホルダー２１を回動させるとともに先端パイプ１４の外郭上方に位置させ、保持する。２８は延長管１３を先端パイプ１４に接続した時に一端に設けた凸部２９が延長管１３の凹部３０に係合し、延長管１３を保持、固定する尾錠であり、前記尾錠２８は他端に指で押さえる釦３１を形成するとともに軸３２によって回動自在に構成され、かつ、釦３１近傍に圧縮バネ３３を配置し、圧縮バネ３３によって常に釦３１を上方に附勢、つまり、凸部２９を下方に附勢し、延長管１３の凹部３０に係合させる方向に力を加えている。また、前記尾錠２８は軸３２と釦３１の間に上方に突出した係合部Ａ３４を形成し、ブラシホルダー２１連通部２１Ａ側に形成した被係合部Ａ３５に係合して図８に示すようにブラシホルダー２１を先端パイプ１４の上方に保持、固定する。
【００２２】
３６、３７はブラシホルダー２１が先端パイプ１４上方に位置した時に覆うように収納する外郭右、外郭左であり、ネジＡ３８、ネジＢ３９によって先端パイプ１４に固定されている。また、外郭右３６、外郭左３７の先端略外周部には、エラストマー、軟質塩化ビニル、ゴム、起毛布などの軟質材を材料とするバンパー４０が配設されている。ブラシホルダー２１が先端パイプ１４上方に位置した時に外郭右３６、外郭左３７の先端部よりも若干、ブラシ２０先端部が突出した状態で保持されている。４１はブラシホルダー２１が先端パイプ１４との間に発生する隙間を覆ってブラシホルダー２１とともに連通部２１Ａを形成するカバー体であり、ブラシホルダー２１の回動中心と同軸で回動自在に構成され、ブラシホルダー２１の連通部２１Ａ側に形成された被係合部Ｂ４２、被係合部Ｃ４３と係合する係合部Ｂ４４を形成し、ブラシホルダー２１の回動とともに回動する。また、外郭右３６、外郭左３７の尾錠２８配置面には、外郭右３６、外郭左３７に設けた溝部右４５、溝部左４６と係合するリブ４７を形成した外郭上４８を配設して、外郭右３６、外郭左３７の上部の保持、固定を行っている。
【００２３】
また、４９は回転ブラシ（図示せず）を駆動させる駆動モーター（図示せず）を配設した床用吸込具１５への電源を供給する電源線に接続される凸端子である。
【００２４】
上記構成による作用は以下の通りである。
【００２５】
床面の掃除を行う時には、本体７の吸気口１０に接続パイプ１１を接続し、先端パイプ１４の接続口２２に延長管１３を接続し、延長管１３先端に床用吸込具１５を接続して、先端パイプ１４の把手１２を握り、モーター４の吸引力によって床面上の塵埃を床用吸込具１５から吸込み、延長管１３、先端パイプ１４、ホース８、接続パイプ１１、吸気口１０を介して本体７の集塵室３に配置した集塵袋２内に集塵していく。
【００２６】
次に、ソファーや壁際、カーテン、テーブル上、また、床用吸込具１５が入らない隙間の掃除の時には、床用吸込具１５、延長管１３を先端パイプ１４から外す。この時、尾錠２８の釦３１を押して延長管１３を先端パイプ１４から外すと図２、６、９に示すように先端パイプ１４の先端に配置した吸込具のブラシホルダー２１の被係合部Ａ３５と尾錠２８の係合部Ａ３４による係合が外れ、ストッパーＡ２５が延長管１３の被接続口２７との当接がなくなることにより、先端パイプ１４上方に位置していたブラシホルダー２１がフックバネ２３の附勢力によって接続口２２側に回動し、ストッパーＡ２５が穴２４の前壁２６に当接してブラシ２０が先端パイプ１４に対して一定の角度αを有した状態で保持される。したがってこの状態ですぐ吸込具１８としてソファーや壁際などの掃除が可能になる。
【００２７】
また、フックバネ２３による附勢力によってブラシ２０が常に被掃除面側に附勢されていることにより、被掃除面への密着性が良く、塵埃の除去が効率的に行えるとともに、先端パイプ１４に対する被掃除面の角度が変わってもブラシ面が被掃除面に沿って回動することにより、把手１２の角度を変える必要がなく、使用性が向上し、かつ、掃除性能も向上するものである。
【００２８】
さらには、爪楊枝やボタン、小石などの重量のある塵埃がブラシ２０の通常の角度（本実施例でのα）で吸わなくても、先端パイプ１４を被掃除面に押し付けてブラシ２０の角度を変えて、ブラシ２０先端から先端パイプ１４の接続口２２の距離が短くなることにより、ブラシ２０部の真空圧が増大して吸込むことが可能となり、掃除実態にあった吸込み性の優れた吸込具１８を提供することができるものである。
【００２９】
また、ブラシホルダー２１が先端パイプ１４に移動する方向に大きな力が加わっても外郭右３６、外郭左３７の先端略外周に軟質材で形成されたバンパーを配置しているので被掃除面への傷つきが防止できる。さらには、ブラシ２０が外郭右３６、外郭左３７内に収納された状態でブラシ２０先端部が外郭右３６、外郭左３７より突出していることにより、被掃除面への傷つきがより防止できるとともにその収納状態でもブラシ２０による簡単な掃除が可能であり、さらにはブラシ２０が外郭右３６、外郭左３７に突っかかって出てこないなどの不具合も防止できるものである。また、ブラシ２０の角度αを６０°に設定していることにより、把手１２と略平行になっているため、自然な姿勢で把手１２が移動でき、楽に掃除が行える。
【００３０】
次に、ブラシ２０収納する時や、延長管１３を先端パイプ１４に接続する時には、ブラシ２０の弾性力がフックバネ２３の附勢力（弾性力）と同等以上に設定していることから、ブラシ２０を被掃除面に押し付け、ブラシホルダー２１を回動させることにより、被係合部Ａが尾錠２８の係合部Ａに係合して、ブラシホルダー２１が先端パイプ１４の上方に位置して保持され、外郭右３６、外郭左３７の中に容易に収納されて先端パイプ１４の接続口２２に延長管１３の被接続口２７が容易に挿入でき、接続できるものである。
【００３１】
また、図１０に示すようにブラシ２０を収納しなくてもブラシ２０部に延長管１３の被接続口２７が挿入できる開口部を有しているため、ブラシ２０の開口部に沿って延長管１３の被接続口２７を挿入し、延長管１３を回動させることにより、被接続口２７がストッパーＡ２５に当接して延長管１３の被接続口２７挿入とともにブラシホルダー２１が回動して先端パイプ１４の上方に位置し、被係合部Ａ３５が尾錠２８の係合部Ａ３４と係合して先端パイプ１４の上方に位置して保持され、外郭右３６、外郭左３７の中にブラシホルダー２１とカバー体４１とブラシ２０の大部分が収納されることにより、収納状態で汚れやすいブラシホルダー２１やブラシ２０などに触れにくく、また、見た目にも汚れが目立たないため、衛生的である。
【００３２】
また、ブラシホルダー２１が一定の角度αに位置した時にブラシホルダー２１と先端パイプ１４との間に発生する隙間を覆うカバー体４１を配設することにより、ブラシホルダー２１を大きくすること無く、先端パイプ１４との間に連通部２１Ａを形成することができ、ブラシホルダー２１の回動角度αを大きくして掃除範囲を拡大しても小型の吸込具１８が提供できる。
【００３３】
したがってソファーや壁際などを掃除する時に使用する吸込具１８の取付け、取り外しをする必要がなく、また、塵埃を吸込んだ吸込具１８やブラシ２０に触れること無く、延長管１３の着脱動作や掃除動作と連動して吸込具１８の使用状態、収納状態が選択でき、使用性が著しく向上するとともに清潔で収納性に優れ、かつ、掃除性能の優れた吸込具１８を提供でき、多大な効用を得ることができるものである。
【００３４】
なお、本実施の形態では、ブラシ付きの吸込具で説明したが、尾錠２８によるブラシホルダー２１の収納時の保持が可能な構成であれば、ブラシ２０部に延長管１３の被接続口２７が挿入できる開口部を形成しなくても例えば吸込口先端を絞った隙間ノズル形態でも同様の効果が得られ、また、ブラシホルダー２１に形成するストッパーＡ２５を延長管１３の被接続口２７に当接させなくても同様の効果が得られる、より簡単な構成が可能になることは言うまでも無い。
【００３５】
また、同様に延長管の先端に本発明の吸込具を配置しても同様の効果が得られることは言うまでも無い。
【００３６】
また、本発明の構成は本実施の形態に限定されるものでは無い。
【産業上の利用可能性】
【００３７】
以上のように、本発明にかかる吸込具は、先端パイプなどへの吸込具の着脱が吸込具に触れること無く、かつ、延長管の着脱における動作、掃除動作の中で容易に行えるとともに吸込具の収納も行え、衛生的で使用性の向上が図れるとともに掃除性能の向上が図れるので非常に有効である。
【図面の簡単な説明】
【００３８】
【図１】本発明の実施の形態１を示す電気掃除機の全体斜視図
【図２】同吸込具の使用状態における要部断面図
【図３】同吸込具の延長管接続状態における要部断面図
【図４】同吸込具の延長管接続状態における要部斜視図
【図５】同吸込具の延長管接続状態における要部側面図
【図６】同吸込具の使用状態における要部側面図
【図７】同吸込具の収納状態における要部平面図
【図８】同吸込具の収納状態における要部断面図
【図９】同吸込具の使用状態における要部斜視図
【図１０】同吸込具の延長管挿入状態における要部断面図
【符号の説明】
【００３９】
１３  延長管
１４  先端パイプ
１８  吸込具
１９  回転軸（枢支部）
２０  ブラシ
２１  ブラシホルダー
２１Ａ  連通部
２２  接続口
２３  フックバネ（附勢手段）
２４  穴
２５  ストッパーＡ
２６  前壁
２７  被接続口
２８  尾錠
２９  凸部
３０  凹部
３１  釦
３２  軸
３３  圧縮バネ
３４  係合部Ａ
３５  被係合部Ａ
３６  外郭右
３７  外郭左
３８  ネジＡ
３９  ネジＢ
４０  バンパー
４１  カバー体
４２  被係合部Ｂ
４３  被係合部Ｃ
４４  係合部Ｂ
４５  溝部右
４６  溝部左
４８  外郭上
４９  凸端子
【図１】
2006230871.tif 000003
【図２】
2006230871.tif 000004
【図３】
2006230871.tif 000005
【図４】
2006230871.tif 000006
【図５】
2006230871.tif 000007
【図６】
2006230871.tif 000008
【図７】
2006230871.tif 000009
【図８】
2006230871.tif 000010
【図９】
2006230871.tif 000011
【図１０】
2006230871.tif 000012